(57)【特許請求の範囲】
【請求項１】
前面に開口部を有する貯蔵室と、
貯蔵物を収納するとともに、スライドして前記貯蔵室に出し入れされる収納ケースと、
前記収納ケースの上面をスライドする小物ケースとを備え、
前記収納ケースは、前記小物ケースによって上面が覆われる第１部分、及び前記小物ケースによって上面が覆われない第２部分を有し、
前記小物ケースによって前記収納ケースの第１部分の上面全体を覆った状態で、前記小物ケースの位置を維持する係合部と、
前記係合部による前記小物ケースの位置の維持を解除する操作レバーと、
を備え、
前記操作レバーは、前記小物ケースに取り付けられており、
前記操作レバーの回動によって、前記係合部による前記小物ケースの位置の維持を解除することを特徴とする冷蔵庫。
【請求項２】
前面に開口部を有する貯蔵室と、
貯蔵物を収納するとともに、スライドして前記貯蔵室に出し入れされる収納ケースと、
前記収納ケースの上面を前後にスライドする小物ケースと、
前記小物ケースが前記収納ケースの上面を後方から前方へ向かって所定の位置まで移動した状態で、前記小物ケースの位置を維持する係合部と、
前記係合部による前記小物ケースの位置の維持を解除する操作レバーと、
を備え、
前記操作レバーは、前記小物ケースに取り付けられており、
前記操作レバーの回動によって、前記係合部による前記小物ケースの位置の維持を解除することを特徴とする冷蔵庫。
【請求項３】
前面に開口部を有する貯蔵室と、
貯蔵物を収納するとともに、スライドして前記貯蔵室に出し入れされる収納ケースと、
前記収納ケースの上面をスライドする小物ケースとを備え、
前記収納ケースは、前記小物ケースによって上面が覆われる第１部分、及び前記小物ケースによって上面が覆われない第２部分を有し、
前記小物ケースによって前記収納ケースの第１部分の上面全体を覆った状態で、前記小物ケースの位置を維持する係合部と、
前記係合部による前記小物ケースの位置の維持を解除する操作レバーと、
を備え、
前記操作レバーは、上端に把持部を有し、
前記把持部は、後方に移動する方向に前記操作レバーを回動させて、前記係合部による前記小物ケースの位置の維持を解除することを特徴とする冷蔵庫。
【請求項４】
前面に開口部を有する貯蔵室と、
貯蔵物を収納するとともに、スライドして前記貯蔵室に出し入れされる収納ケースと、
前記収納ケースの上面を前後にスライドする小物ケースと、
前記小物ケースが前記収納ケースの上面を後方から前方へ向かって所定の位置まで移動した状態で、前記小物ケースの位置を維持する係合部と、
前記係合部による前記小物ケースの位置の維持を解除する操作レバーと、
を備え、
前記操作レバーは、上端に把持部を有し、
前記把持部は、後方に移動する方向に前記操作レバーを回動させて、前記係合部による前記小物ケースの位置の維持を解除することを特徴とする冷蔵庫。
【請求項５】
前記操作レバーは、上端に把持部を有し、
前記把持部は、後方に移動する方向に前記操作レバーを回動させて、前記係合部による前記小物ケースの位置の維持を解除することを特徴とする請求項１または２に記載の冷蔵庫。
【発明の詳細な説明】
【技術分野】
【０００１】
本発明は、貯蔵物を収納する収納ケースを有し、収納ケース上にスライド可能の小物ケースを配した冷蔵庫に関する。
【背景技術】
【０００２】
従来の冷蔵庫は特許文献１に開示される。この冷蔵庫は上段より冷凍庫、冷蔵庫、野菜室が順に配置され、引き出し式の収納ケースが野菜室の内部に設けられている。収納ケース内に野菜などが収納される。収納ケースの内部には収納ケースの後方上部に配された小物ケースが備えられている。小物ケースは収納ケースの前後方向の長さよりも短く、小物ケースを後方へスライドさせて収納ケース内の上面を開いた状態から貯蔵物を取得する構成としている。
【先行技術文献】
【特許文献】
【０００３】
【特許文献１】特開平１１−９４４５６号公報（第２頁−第３頁、第２図）
【発明の概要】
【発明が解決しようとする課題】
【０００４】
近年、野菜の乾燥を防止するために収納ケース内の隙間を可能な限り閉塞させることが望まれる。しかしながら上記特許文献では小物ケースを前方へ移動させて小物ケースと収納ケース内との隙間を無くした状態でも、収納ケースの急な開動作により、小物ケースが後方へスライド移動することがある。そして、収納ケースに対する小物ケースの位置が維持されないで扉が閉じられる状態となる。これにより、必要以上の隙間を介して収納ケース内に冷気が進入して野菜等が乾燥する問題があった。
【０００５】
本発明は、収納ケース内の貯蔵物の乾燥を抑えることができる冷蔵庫を提供することを目的とする。
【課題を解決するための手段】
【０００６】
上記目的を達成するために本発明は、前面に開口部を有する貯蔵室と、貯蔵物を収納するとともに前後にスライド可能に支持される収納ケースと、前記収納ケースの上面を前後にスライドして開閉する小物ケースと、前記収納ケースに設けられる第１係合部と前記小物ケースに設けられる第２係合部とを有して前記小物ケースによって前記収納ケースの上面を閉じた状態で第１、第２係合部の係合により前記小物ケースの位置を固定する固定部と、前記固定部の係合を解除する操作レバーと、を備えたことを特徴とする。
【０００７】
この構成によると、上記構成の冷蔵庫において、貯蔵物を収納した収納ケースは前後にスライドに移動し、小物ケースは収納ケースの上面を前後にスライドして開閉する。収納ケースには第１係合部が設けられ、小物ケースには第２係合部が設けられている。ユーザによって固定部は小物ケースによって収納ケースの上面を閉じた状態で第１、第２係合部の係合により前記小物ケースの位置を固定する。固定部の係合を解除するには操作レバーによる所定の操作を行う。
【０００８】
また本発明は、上記構成の冷蔵庫において、前記操作レバーが前記小物ケースに軸支されるとともに、第２係合部と一体に形成され、前記操作レバーの回動によって第１係合部に対して第２係合部が係脱することを特徴とする。
【０００９】
この構成によると、ユーザが操作レバーを所定の方向へ回動すれば第１係合部に対して第２係合部が係脱する。
【００１０】
また本発明は、上記構成の冷蔵庫において、前記操作レバーの回動を規制する規制部を設け、前記小物ケースにより前記収納ケースの上面を閉じた際に前記規制部による規制が解除されることを特徴とする。
【００１１】
また本発明は、上記構成の冷蔵庫において、前記小物ケースの前面と該収納ケースの前面との隙間を閉塞する可撓性のパッキンを備えたことを特徴とする。
【００１２】
また本発明は、上記構成の冷蔵庫において、前記小物ケースの前壁の上端から前方に突出して前記収納ケースを閉じた際に前記収納ケースの前壁上に配される突出部と、前記収納ケースの前壁の左右方向の略中央部の上端部から後方に突出するとともに、上面が後方に行くに従って下方に傾斜する傾斜面を有するガイド部と、を備えたことを特徴とする。
【００１３】
この構成によると、小物ケースによって収納ケースの上面を閉じる際に、収納ケースの前壁上に配される突出部がガイド部の傾斜面に摺動する。
【００１４】
また本発明は、上記構成の冷蔵庫において、前記小物ケースの側壁の上端から側方に突出して前記収納ケースの側壁上を摺動するレール部と、前記収納ケースの側壁上に突出するリブと、を備え、前記レール部が前記リブ上に乗り上げた後、前記突出部が前記ガイド部に摺動することを特徴とする。
【００１５】
また本発明は、上記構成の冷蔵庫において、前記リブを前記収納ケースの前壁近傍に設けたことを特徴とする。
【発明の効果】
【００１６】
本発明によると、収納ケース内の貯蔵物の乾燥を抑えることができる冷蔵庫を提供することができる。
【図面の簡単な説明】
【００１７】
【図１】本発明の第１実施形態の冷蔵庫を示す側面断面図
【図２】本発明の第１実施形態の冷蔵庫の収納ケースを示す斜視図
【図３】本発明の第１実施形態の冷蔵庫の収納ケースの前部を示す側面断面図
【図４】本発明の第１実施形態の冷蔵庫の規制部示す上面図
【図５】本発明の第１実施形態の冷蔵庫の規制部示す側面図
【図６】本発明の第１実施形態の冷蔵庫の収納ケースの前部を示す側面断面図
【図７】本発明の第１実施形態の冷蔵庫の収納ケースの前部を示す側面断面図
【図８】本発明の第２実施形態の冷蔵庫の操作ボックスを示す側面断面図
【図９】本発明の第２実施形態の冷蔵庫の操作レバーを示す斜視図
【図１０】本発明の第２実施形態の冷蔵庫の操作ボックスを示す側面断面図
【図１１】本発明の第３実施形態の冷蔵庫の収納ケースを示す斜視図
【図１２】本発明の第３実施形態の冷蔵庫のガイド部近傍を示す斜視図
【図１３】本発明の第３実施形態の冷蔵庫のガイド部近傍を示す側面断面図
【図１４】本発明の第３実施形態の冷蔵庫のリブ近傍を示す斜視図
【発明を実施するための形態】
【００１８】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１９】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって収納ケース８が扉４ｂとともに前後に円滑に出し入れされる。
【００２０】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。収納ケース１０の上面には小物ケース１１が前後にスライド可能に配され、収納ケース１０の上面が小物ケース１１により開閉される。
【００２１】
図２は野菜室５の小物ケース１１及び収納ケース１０を示す斜視図である。小物ケース１１は突出部１１ｂ及びレール部１１ｄ、１１ｅを有する。突出部１１ｂは前壁１１ｃの上端から前方に突出し、レール部１１ｄ、１１ｅは側壁の上端からそれぞれの側方に突出している。突出部１１ｂは収納ケース１０を閉じた際に収納ケース１０の前壁１０ｄ上に配される（図１３参照）。レール部１１ｄ、１１ｅは収納ケース１０の側壁上を摺動する（図１４参照）。また、小物ケース１１には果物等が収納される。
【００２２】
収納ケース１０の前部の右側には仕切板１０ｓで区画された容器収納部１０ｕが設けられ、小物ケース１１は容器収納部１０ｕを避けて設けられる。容器収納部１０ｕには例えば、容量が２Ｌのペットボトル等の背の高い貯蔵物が収納される。小物ケース１１により収納ケース１０の上面を閉じた状態では小物ケース１１の前壁１１ｃは収納ケース１０の前壁１０ｄ及び仕切板１０ｓに近接して対向する。
【００２３】
収納ケース１０の前面には前方に突出する突出部１０ｂが設けられる。小物ケース１１にはユーザが操作する操作レバー３１が設けられる。小物ケース１１を前端に配した際に操作レバー３１を収納する操作ボックス３０（図３参照）が突出部１０ｂに入り込むようになっている。
【００２４】
図３は収納ケース１０の前部を示す側面断面図である。操作ボックス３０は小物ケース１１の前壁１１ｃから前方に突出した断面コ字状の外壁３０ｄを有し、上面に開口部３０ｐが形成される。また、外壁３０ｄの下面には操作レバー３１の下部を前後方向に案内する案内溝（不図示）が設けられる。
【００２５】
操作レバー３１は上下方向に延びて開口部３０ｐから突出するアングル３１ａを有している。アングル３１ａの上端は前後方向にＵ字状に分岐して把持部３１ｂ、３１ｃが形成される。アングル３１ａには後方に突出する後方突出部３１ｇが形成され、アングル３１ａの両側面には前方に突出する前方突出部３１ｄが形成される。
【００２６】
前方突出部３１ｄには軸部３１ｆが側方に突出して設けられ、軸部３１ｆによって操作レバー３１が操作ボックス３０の両側壁に軸支される。これにより、操作レバー３１が開口部３０ｐの前端と後端との間を回動可能になっている。
【００２７】
また、収納ケース１０の突出部１０ｂの両側壁には内側に向かって突出する係合ピン１０ｃ（第１係合部）が設けられる。前方突出部３１ｄの上面には係合ピン１０ｃに係合する係合溝３１ｅ（第２係合部）が設けられる。詳細を後述するように、係合ピン１０ｃ及び係合溝３１ｅは係合によって小物ケース１１を前端で収納ケースに固定する固定部を構成する。尚、操作ボックス３０の両側壁には係合ピン１０ｃとの干渉を回避する溝部３０ｅが設けられる。
【００２８】
後方突出部３１ｇは操作ボックス３０の下面に設けた案内溝を介して下方に突出する。操作ボックス３０の下方には後方突出部３１ｇに当接して操作レバー３１の回動を規制する規制部３２が配される。
【００２９】
図４、図５は規制部３２の上面図及び側面図を示している。規制部３２は操作ボックス３０の下面に前後方向にスライド可能に取り付けられ、付勢部３３によって前方に付勢される。規制部３２の後部には後方突出部３１ｇに向かって側方に突出する側方突出部３２ａが設けられる。側方突出部３２ａには前方を開放した溝部３２ｂが形成される。溝部３２ｂには後方突出部３１ｇに突設した係合ピン３１ｊが嵌合する。
【００３０】
規制部３２の溝部３２ｂに係合ピン３１ｊが嵌合した状態で、操作レバー３１の上端の把持部３１ｂ、３１ｃは後端位置に配される。この時、操作レバー３１の回動中心となる軸部３１ｆは係合ピン３１ｊよりも前方に配される。このため、操作レバー３１の把持部３１ｂ、３１ｃを前方に移動させようとしても係合ピン３１ｊが溝部３２ｂの上壁に当接し、操作レバー３１の回動が規制される。
【００３１】
図６に示すように、小物ケース１１を前方に移動して操作ボックス３０が突出部１０ｂ内に進入すると、収納ケース１０の前壁１０ｄが規制部３２の前面３２ｃ（図５参照）に当接する。これにより、規制部３２は付勢部３３（図５参照）の付勢力に抗して後方に移動し、係合ピン３１ｊが溝部３２ａの前面から抜け出る。これにより、操作レバー３１は規制部３２による回動の規制を解除され、前後方向に回動させることができる。
【００３２】
上記構成の冷蔵庫１において、野菜室５の収納ケース１０上の小物ケース１１は規制部３２により操作レバー３１の回動が規制された状態で把持部３１ｂ、３１ｃを把持して前方にスライドする。小物ケース１１を前端位置に配して収納ケース１０の上面が閉じられると、規制部３２による操作レバー３１の回動規制が解除される。
【００３３】
そして、把持部３１ｂ、３１ｃが前方に移動する方向に操作レバー３１を回動させるとアングル３１ａが垂直に配される。この時、図７に示すように、係合ピン１０ｃと係合溝３１ｅとが係合して小物ケース１１の位置が固定される。これにより、収納ケース１０の上面が確実に閉じられ、野菜室５の扉５ｂを閉じた際に収納ケース１０内への冷気の侵入を防止することができる。
【００３４】
野菜室５の扉５ｂを開いた際には、把持部３１ｂ、３１ｃが後方に移動する方向に操作レバー３１を回動させると係合ピン１０ｃと係合溝３１ｅとの係合が解除される。これにより、小物ケース１１を後方にスライド移動して収納ケース１０の上面を開き、収納ケース１０内の貯蔵物を取り出すことができる。
【００３５】
本実施形態によると、互いに係合する係合ピン１０ｃ（第１係合部）と係合溝３１ｅ（第２係合部）により構成される固定部によって収納ケース１０の上面を閉じた小物ケース１１の位置が固定され、操作レバー３１の操作によって固定部の係合が解除される。これにより、収納ケース１０の上面を確実に閉じ、野菜室５の扉５ｂを閉じた際に収納ケース１０内への冷気の侵入を防止して貯蔵物の乾燥を防止することができる。
【００３６】
また、小物ケース１１に軸支される操作レバー３１の回動によって係合ピン１０ｃと係合溝３１ｅとが係脱する。これにより、収納ケース１０の上面を閉じた小物ケース１１を固定して操作レバー３１によって係合が解除される固定部を容易に実現することができる。
【００３７】
また、操作レバー３１の回動を規制する規制部３２を備え、小物ケース１１により収納ケース１０の上面を閉じた際に規制部３２による規制が解除される。これにより、収納ケース１０の上面を開いた状態では回動規制された操作レバー３１を把持して小物ケース１１を容易にスライドさせることができる。従って、冷蔵庫１の利便性を向上させることができる。
【００３８】
なお、小物ケース１１に凹又は凸形状を備え、収納ケース１０はこれに対向して凸又は凹形状の形状を備えて小物ケース１１を係合して固定する場合に比べ、本発明では操作レバー３１の回動を用いてそれぞれのケースが確実に固定されている。このため、収納ケース１０の上面を小物ケース１１によって閉じる際の収納ケース１０および小物ケース１１が接する部分のガタツキや、両ケースの前端の撓みを防止して、収納ケース内１０の隙間をより閉塞することができる。
【００３９】
（第２実施形態）
次に図８は第２実施形態の冷蔵庫１の操作ボックス３０を示す側面断面図である。説明の便宜上、前述の図１〜図７に示す第１実施形態と同様の部分には同一の符号を付している。
【００４０】
操作ボックス３０は小物ケース１１の前壁１１ｃから前方へ傾斜した傾斜面とそれに連続した垂直面とからなる外壁３０ｄを有し、上面に開口部３０ｐが形成される。操作レバー３１は上下方向に延びて開口部３０ｐから突出するアングル３１ａを有している。アングル３１ａの上端は前後方向に略Ｔ字状に分岐して把持部３１ｂが形成される。
【００４１】
アングル３１ａの下部には軸部３１ｆが両側方に突出して設けられ（図９参照）、軸部３１ｆによって操作レバー３１が操作ボックス３０の両側壁に軸支される。これにより、操作レバー３１が開口部３０ｐの前端と後端との間を回動可能になっている。
【００４２】
図９に示すように操作レバー３１にはアングル３１ａの略中央部から両側方へ突出して前方へ屈曲した端面部３１ｇが設けられる。そして端面部３１ｇから外側の両側方へ突出した係合ピン３１ｈが設けられる。係合ピン３１ｈは操作レバー３１の回動によって収納ケース１０に設けた係合溝（不図示）に係合する。
【００４３】
操作ボックス３０の右端部には規制部３４が配される。規制部３４は軸部３４ａによって操作ボックス３０に軸支され、稔りバネなどの付勢部（不図示）によって図８において反時計回りに付勢される。規制部３４の下部には操作ボックス３０の外壁３０ｄに設けたスリット（不図示）を介して前方に突出する突出部３４ｃが設けられる。
【００４４】
操作ボックス３０の前面上部には前方に突出する前端部３０ｆが設けられる。前端部３０ｆには収納ケース１０内に伸びる可撓性のパッキン４０が取り付けられる。パッキン４０は軟質部と硬質部から形成され、軟質部はシリコンゴム、ニトリルゴム、エチレンプロピレンゴム、クロロプレインゴムのいずれか一つまたは複数の併用によって形成することができる。また、硬質部はポリプロピレン製から形成することができる。
【００４５】
上記構成の冷蔵庫１において、図８に示すように小物ケース１１の前端が収納ケース１０の前端から離れた状態で当接部３４ｂが操作レバー３１に当接する。これにより、操作レバー３１の回動が規制され、把持部３１ｂを把持して小物ケース１１を前後にスライドさせることができる。
【００４６】
小物ケース１１を前端位置に配して収納ケース１０の上面が閉じられると、図１０に示すようにパッキン４０が収納ケース１０の前壁１０ｄに当接する。これにより、小物ケース１１の前面と収納ケース１０の前面との隙間が閉塞される。
【００４７】
また、規制部３４の突出部３４ｃが収納ケース１０の前面に当接して規制部３４が回動する。これにより、操作レバー３１の回動規制が解除される。そして、把持部３１ｂが前方に移動する方向に操作レバー３１を回動させるとアングル３１ａが前方に傾倒する。この時、収納ケース１０に設けた係合溝（第１係合部）と操作レバー３１に設けた係合ピン３１ｈ（第２係合部）とが係合して小物ケース１１の位置が固定される。これにより、収納ケース１０の上面が確実に閉じられ、野菜室５の扉５ｂを閉じた際に収納ケース１０内への冷気の侵入を防止することができる。
【００４８】
野菜室５の扉５ｂを開いた際には、把持部３１ｂが後方に移動する方向に操作レバー３１を回動させると収納ケース１０の係合溝と係合ピン３１ｈとの係合が解除される。これにより、小物ケース１１を後方にスライド移動して収納ケース１０の上面を開き、収納ケース１０内の貯蔵物を取り出すことができる。
【００４９】
本実施形態によると、第１実施形態と同様に、互いに係合する係合ピン３１ｈ（第２係合部）と収納ケース１０に設けた係合溝（第１係合部）により構成される固定部によって収納ケース１０の上面を閉じた小物ケース１１の位置が固定され、操作レバー３１の操作によって固定部の係合が解除される。これにより、収納ケース１０の上面を確実に閉じ、野菜室５の扉５ｂを閉じた際に収納ケース１０内への冷気の侵入を防止して貯蔵物の乾燥を防止することができる。
【００５０】
また、小物ケース１１の前面と収納ケース１０の前面との隙間を閉塞する可撓性のパッキン４０を備えたので、収納ケース１０内への冷気の侵入を確実に防止することができる。尚、第１実施形態の冷蔵庫１に同様のパッキン４０を設けてもよい。
【００５１】
（第３実施形態）
次に図１１は第３実施形態の冷蔵庫１の収納ケース１０を示す斜視図である。説明の便宜上、前述の図１〜図７に示す第１実施形態と同様の部分には同一の符号を付している。
【００５２】
第１実施形態と異なり、本実施形態において収納ケース１０はガイド部１２、リブ１３及びリブ１４を有している。ガイド部１２は収納ケース１０の前壁１０ｄの上端の中央部に設けられる。リブ１３、１４は収納ケース１０の側壁１０ｆ、１０ｇの上端に設けられる。
【００５３】
図１２、図１３はガイド部１２近傍の斜視図、側面断面図を示している。ガイド部１２は収納ケース１０の前壁１０ｄの左右方向の略中央部に設けられる。ガイド部１２の前部は前壁１０ｄの上面から突出して前後方向に延びて形成される。ガイド部１２の後方は前壁１０ｄの背面から突出して上下方向に延びて形成される。
【００５４】
ガイド部１２の後部の上面は前壁１０ｄの上端部１０ａから後方に下がる傾斜面１２ｂに形成される。傾斜面１２ｂの前端は前壁１０ｄよりも上方に配され、後端は前壁１０ｄの上端よりも下方に配される。
【００５５】
リブ１３は側壁１０ｆの上端に設けられる。図１４はリブ１３を示す斜視図である。リブ１３は側壁１０ｆから上方に突出して台形状に形成される。また、リブ１３は収納ケース１０の前壁１０ｄ近傍に設けられる。
【００５６】
リブ１４（図１１参照）は側壁１０ｇの上端から上方に突出して台形状に形成される。また、リブ１４は容器収納部１０ｕ（図２参照）の後方の近傍に設けられる。
【００５７】
上記構成の冷蔵庫１において、小物ケース１１を前方にスライドさせて収納ケース１０の上面を閉じていくと、レール部１１ｄにリブ１３が当接し、レール部１１ｅにリブ１４が当接する。さらに、小物ケース１１を前方にスライドさせるとレール部１１ｄ、１１ｅがリブ１３、１４に乗り上げる。これにより、小物ケース１１がリブ１３、１４によってすくい上げられる。
【００５８】
この状態を保持してさらに小物ケース１１を前方にスライドさせると、小物ケース１１の突出部１１ｂがガイド部１２に当接する。この時、突出部１１ｂの下端１１ａは傾斜面１２ｂに当接するため、突出部１１ｂはガイド部１２の傾斜面１２ｂに沿って円滑に摺動できる。
【００５９】
また、ガイド部１２の上面１２ａの前端は前壁１０ｄの上端まで延びて形成されため、小物ケース１１と収納ケース１０との接触面積を少なくして、円滑に小物ケース１１を前方へスライドすることができる。
【００６０】
これにより、小物ケース１１に貯蔵物が載置されて小物ケース１１が撓んでいても、円滑に小物ケース１１を前方に移動し、操作ボックス３０を突出部１０ｂ内へ進入させることができる。
【００６１】
本実施形態によると、小物ケース１１の前壁１１ｃの上端から前方に突出して収納ケース１０を閉じた際に収納ケース１０の前壁１０ｄ上に配される突出部１１ｂと、収納ケース１０の前壁１０ｄの左右方向の略中央部の上端部１０ａから後方に突出するとともに、上面１２ａが後方に行くに従って下方に傾斜する傾斜面１２ｂを有するガイド部１２と、を備えているために、小物ケース１１が貯蔵物の重さによって撓んでいても、容易に操作ボックス３０を突出部１０ｂ内へ進入できる。
【００６２】
また、一旦レール部１１ｄ、１１ｅがリブ１３、１４上に乗り上げた後に突出部１０ｂがガイド部１２に摺動するため、小物ケース１１が貯蔵物の重さによって撓んでいても、突出部１１ｂが容易にガイド部１２に乗り上げることができる。
【００６３】
また、リブ１３を収納ケース１０の前壁１０ｄ近傍に設けたため、突出部１１ｂがより容易にガイド部１２に乗り上げることができる。
【産業上の利用可能性】
【００６４】
本発明によると、スライド移動する収納ケースを備えた冷蔵庫に利用することができる。
【符号の説明】
【００６５】
１    冷蔵庫
３      冷蔵室
４      冷凍室
５      野菜室
８      収納ケース
１０    収納ケース
１０ａ  上端部
１０ｂ  突出部
１０ｃ  係合ピン（第１係合部）
１０ｄ  前壁
１０ｆ  側壁
１０ｇ  側壁
１１    小物ケース
１１ａ  下端
１１ｂ  突出部
１１ｃ  前壁
１１ｄ  レール部
１１ｅ  レール部
１２    ガイド部
１２ａ  上面
１２ｂ  傾斜面
１３    リブ
１４    リブ
３０    操作ボックス
３０ｆ  前端部
３１    操作レバー
３１ｅ  係合溝（第２係合部）
３２、３４    規制部
４０    パッキン
【図１】
0005855544.tif 000002
【図２】
0005855544.tif 000003
【図３】
0005855544.tif 000004
【図４】
0005855544.tif 000005
【図５】
0005855544.tif 000006
【図６】
0005855544.tif 000007
【図７】
0005855544.tif 000008
【図８】
0005855544.tif 000009
【図９】
0005855544.tif 000010
【図１０】
0005855544.tif 000011
【図１１】
0005855544.tif 000012
【図１２】
0005855544.tif 000013
【図１３】
0005855544.tif 000014
【図１４】
0005855544.tif 000015